(57)【要約】【課題】医用画像における異常部位等の位置に応じた関連データを効率よく表示する。【解決手段】医用画像上に選択領域Ａ１，Ａ２を設定し、選択領域Ａ１，Ａ２に医用画像に関連する他の画像、検査結果の表、グラフ等の関連データＫ１，Ｋ２を登録する。医用画像の表示時に選択領域Ａ１を指定すると、指定された選択領域Ａ１に登録された関連データＫ１を医用画像とともに表示する。【選択図】          図８
2004275601.tif 000002
【特許請求の範囲】
【請求項１】
医用画像上における指定された位置に選択領域を設定する領域設定手段と、
該選択領域に登録する関連データの指定を受け付ける関連データ登録手段と、
前記選択領域についての位置情報および前記関連データについての登録情報を前記医用画像と関連づける関連づけ手段とを備えたことを特徴とする画像管理装置。
【請求項２】
請求項１記載の画像管理装置により前記位置情報および前記登録情報が関連づけられた医用画像を表示するとともに、前記位置情報に基づいて前記選択領域を明示可能に表示する表示手段と、
前記選択領域の指定を受け付ける指定受け付け手段と、
前記登録情報に基づいて、前記指定受け付け手段が指定した前記選択領域に登録された関連データを、前記医用画像とともに前記表示手段に表示する表示制御手段とを備えたことを特徴とする画像表示装置。
【発明の詳細な説明】
【０００１】
【発明の属する技術分野】
本発明は、医用画像を管理する画像管理装置および医用画像とこれに関連する関連データとを表示する画像表示装置に関するものである。
【０００２】
【従来の技術】
従来より医用画像の分野において、病院内の画像サーバに患者の放射線画像等の医用画像を保管し、医師が所有するパソコン等の端末装置からの要求に応じて、医用画像をその端末装置に転送して表示するようにしたシステムが用いられている。このようなシステムにおいては、ＣＲ（コンピューテッド・ラジオグラフィ）装置、ＣＴ（コンピュータ断層像撮影）装置、ＭＲＩ（磁気共鳴像撮影）装置等の入力モダリティにおいて患者を撮影することにより得られた医用画像を画像サーバに保管しておくことにより、医師が端末装置において必要な画像を参照することができるため、診断を効率よく行うことができる。
【０００３】
また、このような医用画像を用いた診断時には、医用画像の他、医用画像における異常部位の詳細な画像（例えば胸部画像における骨部領域を除去したエネルギーサブトラクション画像）や、検査結果を表す表やグラフ等の関連データを医用画像とともに並べて表示することにより、より効率よく診断を行うことができる。
【０００４】
また、内視鏡画像をタッチパネルを有する表示手段に表示し、タッチパネルにおいてタッチされた位置を示すマークを内視鏡画像に付与し、その内視鏡画像の参照時にマウスポインタ等によりマークを指定することにより、その内視鏡画像を得た患者についての検査レポートを検索して表示するようにしたシステムが提案されている（特許文献１参照）。これにより、内視鏡画像と検査レポートの双方を参照して、診断を効率よく行うことができる。
【０００５】
【特許文献１】
特開２００１−１２０４９８号公報
【０００６】
【発明が解決しようとする課題】
しかしながら、医用画像中に複数の異常部位が含まれている場合に医用画像とともにすべての関連データを表示したのでは、どの関連データがどの異常部位に対応するものであるのかが確認しにくい。一方、上記特許文献１に記載のシステムにおいては、部位を指定すればその部位に対応する検査レポートを表示できるが、検査レポートを検索する必要があるため、検査レポートの表示に長時間を要するという問題がある。
【０００７】
本発明は上記事情に鑑みなされたものであり、医用画像における異常部位等の位置に関連づけられた関連データを効率よく表示することを目的とする。
【０００８】
【課題を解決するための手段】
本発明による画像管理装置は、医用画像上における指定された位置に選択領域を設定する領域設定手段と、
該選択領域に登録する関連データの指定を受け付ける関連データ登録手段と、前記選択領域についての位置情報および前記関連データについての登録情報を前記医用画像と関連づける関連づけ手段とを備えたことを特徴とするものである。
【０００９】
「位置情報」としては、選択領域の医用画像上における座標、選択領域のサイズ等、選択領域の医用画像上における位置および選択領域の大きさを指定する情報を意味する。なお、選択領域の形状はあらかじめ指定されたものであってもよく、選択領域の設定時に指定してもよい。後者の場合、位置情報には選択領域の形状の情報も含まれる。
【００１０】
「登録情報」としては、関連データのファイル名、関連データの保管場所、関連データの形式（例えば画像、表、グラフ、モノクロかカラーか等）、関連データを表示した場合のサイズ、表示する位置、関連データが複数ある場合の表示する順序等、関連データを表示する際に必要な各種情報を意味する。
【００１１】
本発明による画像表示装置は、本発明の画像管理装置により前記位置情報および前記登録情報が関連づけられた医用画像を表示するとともに、前記位置情報に基づいて前記選択領域を明示可能に表示する表示手段と、
前記選択領域の指定を受け付ける指定受け付け手段と、
前記登録情報に基づいて、前記指定受け付け手段が指定した前記選択領域に登録された関連データを、前記医用画像とともに前記表示手段に表示する表示制御手段とを備えたことを特徴とするものである。
【００１２】
「選択領域を明示可能に表示する」とは、選択領域を表すマークを医用画像に付与する、選択領域の輪郭を表示する、マウスポインタを選択領域上に移動した場合に選択領域の色を他の領域の色と異なるものとする、マウスポインタを選択領域上に移動した場合にマウスポインタの形状を変更する等、選択領域であることが視認できればいかなる態様であってもよい。
【００１３】
【発明の効果】
本発明によれば、医用画像上における指定された位置に選択領域を設定し、その選択領域に登録する関連データの指定を受け付け、選択領域についての位置情報および関連データについての登録情報を医用画像と関連づける。そして、医用画像を表示する際には、位置情報に基づいて選択領域を明示可能に表示し、選択領域の指定を受け付けると、登録情報に基づいて、指定された選択領域に登録された関連データを医用画像とともに表示する。このため、医用画像上の異常部位に選択領域を設定し、その異常部位についての検査結果や詳細画像等の関連データを設定した選択領域に登録しておけば、選択領域を指定するのみでその選択領域に登録された関連データを効率よく表示することができる。
【００１４】
【発明の実施の形態】
以下図面を参照して本発明の実施形態について説明する。図１は本発明の実施形態による画像管理装置および画像表示装置を適用した医用画像保管システムの構成を示す概略ブロック図である。図１に示すように、本実施形態による医用画像保管システムは、画像管理装置および画像表示装置としての機能を有する複数（ここでは３台）のパソコン１Ａ，１Ｂ，１Ｃと、医用画像および関連データを保管する画像サーバ３と、ＣＲ（コンピューテッド・ラジオグラフィ）装置、ＣＴ（コンピュータ断層像撮影）装置、ＭＲＩ（磁気共鳴像撮影）装置等の医用画像を生成する複数の入力モダリティ５とがネットワーク２を介して接続されて構成される。
【００１５】
画像サーバ３には、入力モダリティ５が生成した医用画像および医用画像に関連する関連データがネットワーク２を介して送信されて保管される。ここで、関連データとしては、医用画像に含まれる異常部位の詳細な画像（例えば、胸部の放射線画像においてサブトラクション処理により骨部を除去したエネルギーサブトラクション画像）、検査結果を表す表、グラフ等が挙げられるがこれらに限定されるものではない。なお、関連データは入力モダリティ５から送信される他、医師や検査技師等が所有するパソコン等の端末装置から送信されて、画像サーバ３に保管される。また、画像サーバ３は、ネットワーク２を介して送信された医用画像および関連データを患者毎または検査毎にまとめて保管する。具体的には、患者毎または検査毎にフォルダを作成し、そのフォルダに対応する医用画像および関連データを保管する。
【００１６】
なお、関連データはすべて画像サーバ３に保管される必要はなく、パソコン１Ａ，１Ｂ，１Ｃの他、医師や検査技師等が所有する端末装置に保管されていてもよい。
【００１７】
図２は、パソコンの構成を示す概略ブロック図である。なお、パソコン１Ａ，１Ｂ，１Ｃはすべて同一の構成を有するため、ここではパソコン１Ａについてのみ構成を説明する。図２に示すように、パソコン１Ａは、パソコン１Ａの動作を制御するＣＰＵ１１と、パソコン１Ａを画像管理装置および画像表示装置として動作させるためのプログラムおよび画像サーバ３にアクセスするためのプログラムを含むＣＰＵ１１の動作プログラム並びに医用画像、関連データ等の各種情報を記憶するための記憶手段であるハードディスク１２と、プログラム実行時の作業領域となるＲＡＭ１３と、ネットワーク２に接続するためのネットワークインターフェース１５と、各種入力を行うためのキーボード、マウス等からなる入力部１６と、種々の表示を行うモニタ１７とから構成されている。
【００１８】
そしてＣＰＵ１１がハードディスク１２から画像管理装置および画像表示装置のプログラムを読み出して実行することにより、ＣＰＵ１１が領域設定手段、関連づけ手段および表示制御手段として機能する。また、入力部１６が指定受け付け手段および関連データ登録手段として、モニタ１７が表示手段として機能する。
【００１９】
次いで、本実施形態において行われる処理について説明する。図３は本実施形態において行われる処理を示すフローチャートである。まず、ここではパソコン１Ａを画像管理装置として動作させる場合の処理について説明する。なお、医用画像および関連データは画像サーバ３に保管されているものとする。まず、ＣＰＵ１１は、オペレータによる医用画像の表示の指示が入力部１６により行われたか否かを監視しており（ステップＳ１）、ステップＳ１が肯定されると、指示のあった医用画像を画像サーバ３から読み出し（ステップＳ２）、モニタ１７に表示する（ステップＳ３）。なお、ここで表示される医用画像は、後述する選択領域の位置情報および関連データの登録情報が関連づけられていないものである。
【００２０】
続いて、ＣＰＵ１１は、入力部１６を用いての選択領域の設定の指示があったか否かの監視を開始し（ステップＳ４）、ステップＳ４が肯定されると、指示された位置に選択領域を設定する（ステップＳ５）。図４はモニタ１７に表示された胸部の医用画像上に選択領域を設定した状態を示す図である。なお、ここでは２つの円形の選択領域Ａ１，Ａ２を設定しているが、選択領域Ａ１，Ａ２の形状はこれに限定されるものではなく矩形であってもよい。また、選択領域の形状は選択領域の設定時に、パソコン１Ａのオペレータが任意に設定してもよい。
【００２１】
続いて、ＣＰＵ１１は、設定された選択領域Ａ１，Ａ２に登録する関連データＫ１，Ｋ２の表示の指示が入力部１６により行われたか否かの監視を開始し（ステップＳ６）、ステップＳ６が肯定されると、指示のあった関連データＫ１，Ｋ２を画像サーバ３から読み出し（ステップＳ７）、モニタ１７に表示する（ステップＳ８）。
【００２２】
図５はモニタ１７に医用画像とともに関連データが表示された状態を示す図である。ここでは、選択領域Ａ１に登録する関連データＫ１が表示された状態を示す。また、関連データＫ１として、胸部のエネルギーサブトラクション画像Ｋ１１および検査結果のグラフＫ１２を用いるものとする。
【００２３】
そして、ＣＰＵ１１は入力部１６から関連データＫ１の登録の指示がなされたか否かの監視を開始し（ステップＳ９）、ステップＳ９が肯定されると、選択領域Ａ１，Ａ２の中心位置およびサイズ（半径の大きさ）を表す位置情報並びに関連データＫ１，Ｋ２のファイル名、データの存在場所、画像であるか表であるか等のデータの形式、表示時のサイズ、表示位置および表示順序を表す登録情報を医用画像と関連づけ（ステップＳ１０）、位置情報および登録情報が関連づけられた医用画像を画像サーバ３に送信し（ステップＳ１１）、処理を終了する。なお、画像サーバ３においては、送信された医用画像は上書きされて保管される。
【００２４】
図６は、医用画像と位置情報および登録情報との関連づけを説明するための図である。図６に示すように、医用画像のファイル名に、選択領域Ａ１，Ａ２が関連づけられ、選択領域Ａ１，Ａ２のそれぞれに、位置情報および登録情報が関連づけられている。位置情報は、医用画像上における選択領域Ａ１，Ａ２のｘ方向およびｙ方向の位置とサイズとを含む。登録情報は、ファイル名と、データの存在場所（例えば画像サーバ３のＵＲＬ）と、データの形式と、サイズと、表示位置と、関連データが複数ある場合の表示順序の情報を含む。
【００２５】
次いで、位置情報および登録情報が関連づけられた医用画像の表示時の動作について説明する。図７は医用画像の表示時の動作を示すフローチャートである。なお、ここでは、パソコン１Ａとは異なるパソコン１Ｂにおいて医用画像を表示する場合の処理について説明する。まず、ＣＰＵ１１は、医用画像の表示の指示が入力部１６により行われたか否かを監視しており（ステップＳ２１）、ステップＳ２１が肯定されると、指示のあった医用画像を画像サーバ３から読み出し（ステップＳ２２）、モニタ１７に表示する（ステップＳ２３）。
【００２６】
続いて、ＣＰＵ１１は、入力部１６を用いての選択領域Ａ１，Ａ２の指定があったか否かの監視を開始し（ステップＳ２４）、ステップＳ２４が肯定されると、指定された選択領域（ここではＡ１とする）に登録された関連データＫ１を画像サーバ３から読み出し（ステップＳ２５）、医用画像とともに関連データＫ１をモニタ１７に表示し（ステップＳ２６）、処理を終了する。
【００２７】
図８は、モニタ１７に表示された医用画像および関連データを示す図である。図８に示すようにモニタ１７には、選択領域Ａ１，Ａ２の輪郭が表示されるとともに、選択領域Ａ１が選択されて選択領域Ａ１の色が選択領域Ａ２の色と異なっており、選択領域Ａ１に登録された関連データＫ１として胸部のエネルギーサブトラクション画像Ｋ１１が医用画像上に表示されている状態を示している。なお、選択領域に複数の関連データが登録されている場合には、次へボタン１７Ａが表示され、次へボタン１７Ａをクリックすることにより、登録情報に含められた表示順序により他の関連データが表示される。ここでは、検査結果のグラフＫ１２が選択領域Ａ１に登録されているため、次へボタン１７Ａをクリックすると、検査結果のグラフＫ１２がエネルギーサブトラクション画像Ｋ１１に代えてモニタ１７に表示される。
【００２８】
このように、本実施形態においては、医用画像上において指定された位置に選択領域Ａ１，Ａ２を設定し、選択領域Ａ１，Ａ２に関連する関連データＫ１，Ｋ２を選択領域Ａ１，Ａ２に登録し、選択領域Ａ１，Ａ２についての位置情報および関連データＫ１、Ｋ２についての登録情報を医用画像と関連づけて保管し、医用画像を表示する際には、位置情報に基づいて選択領域Ａ１，Ａ２を医用画像上に表示し、選択領域Ａ１，Ａ２の指定を受け付けると、登録情報に基づいて指定した選択領域Ａ１，Ａ２に登録された関連データＫ１，Ｋ２を医用画像とともに表示するようにしたものである。このため、医用画像上の異常部位に選択領域Ａ１，Ａ２を設定し、その異常部位についての検査結果や詳細画像等の関連データＫ１，Ｋ２を選択領域Ａ１，Ａ２に登録しておけば、選択領域Ａ１，Ａ２を指定するのみでその選択領域に登録された関連データＫ１，Ｋ２を効率よく表示することができる。
【００２９】
なお、上記実施形態においては、医用画像を表示した際に、選択領域Ａ１，Ａ２の輪郭を表示することにより、選択領域Ａ１，Ａ２を明示可能としているが、医用画像上においてマウスポインタを移動してマウスポインタが選択領域Ａ１，Ａ２上に位置した際に、マウスポインタの形状を変更することにより、医用画像上における選択領域Ａ１，Ａ２を明示可能としてもよい。また、マウスポインタを選択領域Ａ１，Ａ２上に位置した際に、選択領域Ａ１，Ａ２の色を反転する等して選択領域Ａ１，Ａ２を明示可能としてもよい。また、選択領域Ａ１，Ａ２の輪郭に代えて、そこが選択領域Ａ１，Ａ２である旨を示すマークを付与することにより、選択領域Ａ１，Ａ２を明示可能としてもよい。
【００３０】
また、上記実施形態においては、２つの選択領域を設定しているが１つのみ設定してもよく、３以上の選択領域を設定してもよい。
【図面の簡単な説明】
【図１】本発明の実施形態による画像管理装置および画像表示装置を適用した医用画像保管システムの構成を示す概略ブロック図
【図２】パソコンの構成を示す概略ブロック図
【図３】本実施形態において行われる処理を示すフローチャート（その１）
【図４】モニタに表示された胸部の医用画像上に選択領域を設定した状態を示す図
【図５】モニタに医用画像とともに関連データが表示された状態を示す図（その１）
【図６】医用画像と位置情報および登録情報との関連づけを説明するための図
【図７】本実施形態において行われる処理を示すフローチャート（その２）
【図８】モニタに医用画像とともに関連データが表示された状態を示す図（その２）
【符号の説明】
１    パソコン
２    ネットワーク
３    画像サーバ
５    入力モダリティ
１１    ＣＰＵ
１２    ハードディスク
１３    ＲＡＭ
１５    ネットワークインタフェース
１６    入力部
１７    モニタ
【図１】
2004275601.tif 000003
【図２】
2004275601.tif 000004
【図３】
2004275601.tif 000005
【図４】
2004275601.tif 000006
【図５】
2004275601.tif 000007
【図６】
2004275601.tif 000008
【図７】
2004275601.tif 000009
【図８】
2004275601.tif 000010